(57)【特許請求の範囲】
【請求項１】
焦点調節光学系を含む光学系と、
前記光学系を通過する光束を制限する絞りと、
焦点調節制御をする際に前記焦点調節光学系を光軸方向に駆動させる駆動部と、
前記光学系の開放絞り値からの絞り段数であり、前記光学系の焦点調節状態を検出する際に設定可能な最小の絞り段数である最小段数を記憶するレンズ記憶部と、
前記最小段数をカメラボディに送信するレンズ送信部と、
前記最小段数に対応する第１絞り値になるように前記絞りを制御した第１状態、及び、撮影時に設定される絞り値である撮影絞り値以下の値であり、かつ、前記第１絞り値よりも大きい値である第２絞り値になるように前記絞りを制御した第２状態で前記駆動部を制御することにより焦点調節制御を行うことができるレンズ制御部と、を備えることを特徴とするレンズ鏡筒。
【請求項２】
請求項１に記載のレンズ鏡筒であって、
前記レンズ制御部は、前記第１絞り値よりも小さい第３絞り値になるように前記絞りを制御した第３状態で焦点調節制御を行うことができないことを特徴とするレンズ鏡筒。
【請求項３】
請求項１または２に記載のレンズ鏡筒であって、
前記レンズ制御部は、前記撮影絞り値よりも大きい第４絞り値になるように前記絞りを制御した第４状態で焦点調節制御を行うことができないことを特徴とするレンズ鏡筒。
【請求項４】
請求項１〜３のいずれかに記載のレンズ鏡筒であって、
前記レンズ制御部は、前記第１絞り値と前記第２絞り値との間の絞り値である第５絞り値になるように前記絞りを制御した第５状態で焦点調節制御を行うことができることを特徴とするレンズ鏡筒。
【請求項５】
請求項１〜４のいずれかに記載のレンズ鏡筒と、該レンズ鏡筒を装着可能なカメラボディとを備える撮像装置であって、
前記カメラボディは、
光学系による像を撮像し、撮像した像に対応する画像信号を出力する撮像部と、
前記画像信号に基づいて、前記光学系の焦点状態を検出する焦点検出部と、
前記最小段数をレンズ鏡筒から受信する受信部と、
前記焦点検出部により焦点検出を行う際における前記光学系の絞り値の絞り込み側の制限値を、前記第２絞り値として記憶するカメラ記憶部と、
前記焦点検出部により焦点検出を行う際に、前記光学系の絞り値を、前記最小段数に対応する絞り値である前記第１絞り値と、前記第２絞り値との範囲内で設定するカメラ制御部と、
前記カメラ制御部により設定された前記絞り値を、前記レンズ鏡筒に送信するカメラ送信部と、を備え、
前記レンズ鏡筒は、前記カメラボディから送信された前記絞り値に基づいて、前記絞りを制御することで前記焦点調節制御を行うことを特徴とする撮像装置。
【請求項６】
請求項５に記載の撮像装置であって、
前記カメラ制御部は、前記焦点検出部により焦点検出を行う際における、前記光学系の絞り値を、前記撮影絞り値または前記撮影絞り値よりも開放側の値に設定することを特徴とする撮像装置。
【請求項７】
請求項５または６に記載の撮像装置であって、
前記カメラ制御部は、前記焦点検出部により焦点検出を行う際における、前記光学系の絞り値を、前記光学系の開放絞り値よりも、絞り込み側の値に設定することを特徴とする撮像装置。
【請求項８】
請求項５〜７のいずれかに記載の撮像装置であって、
前記撮像部は、二次元状に配列された複数の撮像用画素と、前記撮像用画素に混在して一次元または二次元状に配列された複数の焦点検出用画素とを有し、
前記焦点検出部は、前記焦点検出用画素から出力された前記画像信号に基づいて、前記光学系による像面のずれ量を検出することで、前記光学系の焦点状態を検出する位相差検出方式の焦点検出、および、前記撮像用画素により出力された前記画像信号に基づいて、前記光学系による像のコントラストに関する評価値を算出し、算出した前記評価値に基づいて、前記光学系の焦点状態を検出するコントラスト検出方式の焦点検出のうち、少なくともいずれか一方の方式で焦点検出を行うことが可能であることを特徴とする撮像装置。
【請求項９】
請求項５〜８のいずれかに記載の撮像装置であって、
前記カメラ制御部は、前記撮影絞り値が、前記第２絞り値よりも絞り込み側の値である場合には、前記焦点検出部により焦点検出を行う際における、前記光学系の絞り値を、前記第２絞り値に設定することを特徴とする撮像装置。
【請求項１０】
請求項５〜９のいずれかに記載の撮像装置であって、
前記カメラ制御部は、前記撮影絞り値が、前記第２絞り値よりも絞り込み側の値である場合には、前記焦点検出部により焦点検出を行う際における、前記光学系の絞り値を、前記第１絞り値と前記第２絞り値との範囲内において設定し、前記撮影絞り値が、前記第２絞り値と同じ値または前記第２絞り値よりも開放側の値である場合には、前記焦点検出部により焦点検出を行う際における、前記光学系の絞り値を、前記第１絞り値と前記撮影絞り値との範囲内において設定することを特徴とする撮像装置。
【請求項１１】
請求項５〜１０のいずれかに記載の撮像装置であって、
前記レンズ鏡筒を、レンズアダプタを介して装着可能となっており、
前記カメラ制御部は、前記レンズアダプタを介して前記レンズ鏡筒を装着している場合に、前記撮影絞り値が、前記第２絞り値よりも絞り込み側の値である場合には、前記焦点検出部により焦点検出を行う際における、前記光学系の絞り値を、前記第２絞り値に設定し、前記撮影絞り値が、前記第２絞り値と同じ値または前記第２絞り値よりも開放側の値である場合には、前記焦点検出部により焦点検出を行う際における、前記光学系の絞り値を、前記撮影絞り値に設定することを特徴とする撮像装置。
【発明の詳細な説明】
【技術分野】
【０００１】
本発明は、レンズ鏡筒およびカメラボディに関する。
【背景技術】
【０００２】
従来より、撮像素子に備えられた焦点検出画素の出力に基づいて、光学系の像面のずれ量を検出することで、光学系の焦点状態を検出する撮像装置が知られている。このような撮像装置として、たとえば、焦点検出を行う際にケラレが発生することを防止するために、光学系の絞り値を所定の絞り値よりも小さい値（開放側の値）に設定し、焦点検出を行う方法が知られている（たとえば、特許文献１）。
【先行技術文献】
【特許文献】
【０００３】
【特許文献１】特開２０１０−２１７６１８号公報
【発明の概要】
【発明が解決しようとする課題】
【０００４】
しかしながら、従来技術では、画像を本撮影するために、光学系の絞り値を、焦点検出時の絞り値から撮影絞り値へと変更した場合に、絞り値の変更に伴って光学系の像面が移動してしまい、その結果、被写体にピントの合った画像が撮影できない場合があった。
【０００５】
本発明が解決しようとする課題は、画像を良好に撮影することができるレンズ鏡筒を提供することである。
【課題を解決するための手段】
【０００６】
本発明は、以下の解決手段によって上記課題を解決する。なお、以下においては、本発明の実施形態を示す図面に対応する符号を付して説明するが、この符号は発明の理解を容易にするためだけのものであって発明を限定する趣旨ではない。
【０００７】
［１］本発明に係るレンズ鏡筒は、焦点調節光学系（３２）を含む光学系と、前記光学系を通過する光束を制限する絞り（３４）と、焦点調節制御をする際に前記焦点調節光学系を光軸方向に駆動させる駆動部（３６）と、前記光学系の開放絞り値からの絞り段数であり、前記光学系の焦点調節状態を検出する際に設定可能な最小の絞り段数である最小段数を記憶するレンズ記憶部（３７）と、前記最小段数をカメラボディに送信するレンズ送信部（３７）と、前記最小段数に対応する第１絞り値になるように前記絞りを制御した第１状態、及び、撮影時に設定される絞り値である撮影絞り値以下の値であり、かつ、前記第１絞り値よりも大きい値である第２絞り値になるように前記絞りを制御した第２状態で前記駆動部を制御することにより焦点調節制御を行うことができるレンズ制御部（３７）と、を備えることを特徴とする。
【０００８】
［２］上記レンズ鏡筒に係る発明において、前記レンズ制御部（３７）は、前記第１絞り値よりも小さい第３絞り値になるように前記絞りを制御した第３状態で焦点調節制御を行うことができないように構成することができる。
［３］上記レンズ鏡筒に係る発明において、前記レンズ制御部（３７）は、前記撮影絞り値より大きい第４絞り値になるように前記絞り（３４）を制御した第４状態で焦点調節制御を行うことができないように構成することができる。
［４］上記レンズ鏡筒に係る発明において、前記レンズ制御部（３７）は、前記第１絞り値と前記第２絞り値との間の絞り値である第５絞り値になるように前記絞り（３４）を制御した第５状態で焦点調節制御を行うことができることを特徴とするレンズ鏡筒。
【０００９】
［５］本発明に係る撮像装置は、上記レンズ鏡筒（３）と、該レンズ鏡筒を装着可能なカメラボディ（２）とを備え、前記カメラボディは、光学系による像を撮像し、撮像した像に対応する画像信号を出力する撮像部（２２）と、前記画像信号に基づいて、前記光学系の焦点状態を検出する焦点検出部（２１）と、前記最小段数をレンズ鏡筒から受信する受信部（２１）と、前記焦点検出部により焦点検出を行う際における前記光学系の絞り値の絞り込み側の制限値を、前記第２絞り値として記憶するカメラ記憶部（２１）と、前記焦点検出部により焦点検出を行う際に、前記光学系の絞り値を、前記最小段数に対応する絞り値である前記第１絞り値と、前記第２絞り値との範囲内で設定するカメラ制御部（２１）と、前記カメラ制御部により設定された前記絞り値を、前記レンズ鏡筒に送信するカメラ送信部（２１）と、を備え、前記レンズ鏡筒は、前記カメラボディから送信された前記絞り値に基づいて、前記絞りを制御することで前記焦点調節制御を行うことを特徴とする。
【００１０】
［６］上記撮像装置に係る発明において、前記カメラ制御部（２１）は、前記焦点検出部（２１）により焦点検出を行う際における、前記光学系の絞り値を、前記撮影絞り値または前記撮影絞り値よりも開放側の値に設定するように構成することができる。
【００１１】
［７］上記撮像装置に係る発明において、前記カメラ制御部（２１）は、前記焦点検出部（２１）により焦点検出を行う際における、前記光学系の絞り値を、前記光学系の開放絞り値よりも、絞り込み側の値に設定するように構成することができる。
【００１２】
［８］上記撮像装置に係る発明において、前記撮像部（２２）は、二次元状に配列された複数の撮像用画素（２２１）と、前記撮像用画素に混在して一次元または二次元状に配列された複数の焦点検出用画素（２２２ａ，２２２ｂ）とを有し、前記焦点検出部（２１）は、前記焦点検出用画素から出力された前記画像信号に基づいて、前記光学系による像面のずれ量を検出することで、前記光学系の焦点状態を検出する位相差検出方式の焦点検出、および、前記撮像用画素により出力された前記画像信号に基づいて、前記光学系による像のコントラストに関する評価値を算出し、算出した前記評価値に基づいて、前記光学系の焦点状態を検出するコントラスト検出方式の焦点検出のうち、少なくともいずれか一方の方式で焦点検出を行うことが可能であるように構成することができる。
【００１４】
［９］上記撮像装置に係る発明において、前記カメラ制御部（２１）は、前記撮影絞り値が、前記第２絞り値よりも絞り込み側の値である場合には、前記焦点検出部（２１）により焦点検出を行う際における、前記光学系の絞り値を、前記第２絞り値に設定するように構成することができる。
【００１５】
［１０］上記撮像装置に係る発明において、前記カメラ制御部（２１）は、前記撮影絞り値が、前記第２絞り値よりも絞り込み側の値である場合には、前記焦点検出部により焦点検出を行う際における、前記光学系の絞り値を、前記第１絞り値と前記第２絞り値との範囲内において設定し、前記撮影絞り値が、前記第２絞り値と同じ値または前記第２絞り値よりも開放側の値である場合には、前記焦点検出部により焦点検出を行う際における、前記光学系の絞り値を、前記第１絞り値と前記撮影絞り値との範囲内において設定するように構成することができる。
【００１６】
［１１］上記撮像装置に係る発明において、前記レンズ鏡筒（３）を、レンズアダプタ（５）を介して装着可能となっており、前記カメラ制御部（２１）は、前記レンズアダプタを介して前記レンズ鏡筒を装着している場合に、前記撮影絞り値が、前記第２絞り値よりも絞り込み側の値である場合には、前記焦点検出部により焦点検出を行う際における、前記光学系の絞り値を、前記第２絞り値に設定し、前記撮影絞り値が、前記第２絞り値と同じ値または前記第２絞り値よりも開放側の値である場合には、前記焦点検出部により焦点検出を行う際における、前記光学系の絞り値を、前記撮影絞り値に設定するように構成することができる。
【発明の効果】
【００１７】
本発明によれば、画像を良好に撮影することができる。
【図面の簡単な説明】
【００１８】
【図１】図１は、第１実施形態に係るカメラを示すブロック図である。
【図２】図２は、図１に示す撮像素子の撮像面における焦点検出位置を示す正面図である。
【図３】図３は、図２のIII部を拡大して焦点検出画素２２２ａ，２２２ｂの配列を模式的に示す正面図である。
【図４】図４は、撮像画素２２１の一つを拡大して示す正面図である。
【図５】図５（Ａ）は、焦点検出画素２２２ａの一つを拡大して示す正面図、図５（Ｂ）は、焦点検出画素２２２ｂの一つを拡大して示す正面図である。
【図６】図６は、撮像画素２２１の一つを拡大して示す断面図である。
【図７】図７（Ａ）は、焦点検出画素２２２ａの一つを拡大して示す断面図、図７（Ｂ）は、焦点検出画素２２２ｂの一つを拡大して示す断面図である。
【図８】図８は、図３のVIII-VIII線に沿う断面図である。
【図９】図９は、本実施形態に係るカメラの動作を示すフローチャートである。
【図１０】図１０は、第１実施形態において設定される焦点検出時の絞り値と、撮影絞り値との関係の一例を示す図である。
【図１１】図１１は、ステップＳ１１８のスキャン動作実行処理を示すフローチャートである。
【図１２】図１２は、第２実施形態に係るカメラを示すブロック図である。
【図１３】図１３は、第２実施形態において設定される焦点検出時の絞り値と、撮影絞り値との関係の一例を示す図である。
【発明を実施するための形態】
【００１９】
以下、本発明の実施形態を図面に基づいて説明する。
【００２０】
≪第１実施形態≫
図１は、本発明の実施形態に係るデジタルカメラ１を示す要部構成図である。本実施形態のデジタルカメラ１（以下、単にカメラ１という。）は、カメラ本体２とレンズ鏡筒３から構成され、これらカメラ本体２とレンズ鏡筒３はマウント部４により着脱可能に結合されている。
【００２１】
レンズ鏡筒３は、カメラ本体２に着脱可能な交換レンズである。図１に示すように、レンズ鏡筒３には、レンズ３１，３２，３３、および絞り３４を含む撮影光学系が内蔵されている。
【００２２】
レンズ３２は、フォーカスレンズであり、光軸Ｌ１方向に移動することで、撮影光学系の焦点距離を調節可能となっている。フォーカスレンズ３２は、レンズ鏡筒３の光軸Ｌ１に沿って移動可能に設けられ、エンコーダ３５によってその位置が検出されつつフォーカスレンズ駆動モータ３６によってその位置が調節される。
【００２３】
このフォーカスレンズ３２の光軸Ｌ１に沿う移動機構の具体的構成は特に限定されない。一例を挙げれば、レンズ鏡筒３に固定された固定筒に回転可能に回転筒を挿入し、この回転筒の内周面にヘリコイド溝（螺旋溝）を形成するとともに、フォーカスレンズ３２を固定するレンズ枠の端部をヘリコイド溝に嵌合させる。そして、フォーカスレンズ駆動モータ３６によって回転筒を回転させることで、レンズ枠に固定されたフォーカスレンズ３２が光軸Ｌ１に沿って直進移動することになる。
【００２４】
上述したようにレンズ鏡筒３に対して回転筒を回転させることによりレンズ枠に固定されたフォーカスレンズ３２は光軸Ｌ１方向に直進移動するが、その駆動源としてのフォーカスレンズ駆動モータ３６がレンズ鏡筒３に設けられている。フォーカスレンズ駆動モータ３６と回転筒とは、たとえば複数の歯車からなる変速機で連結され、フォーカスレンズ駆動モータ３６の駆動軸を何れか一方向へ回転駆動すると所定のギヤ比で回転筒に伝達され、そして、回転筒が何れか一方向へ回転することで、レンズ枠に固定されたフォーカスレンズ３２が光軸Ｌ１の何れかの方向へ直進移動することになる。なお、フォーカスレンズ駆動モータ３６の駆動軸が逆方向に回転駆動すると、変速機を構成する複数の歯車も逆方向に回転し、フォーカスレンズ３２は光軸Ｌ１の逆方向へ直進移動することになる。
【００２５】
フォーカスレンズ３２の位置はエンコーダ３５によって検出される。既述したとおり、フォーカスレンズ３２の光軸Ｌ１方向の位置は回転筒の回転角に相関するので、たとえばレンズ鏡筒３に対する回転筒の相対的な回転角を検出すれば求めることができる。
【００２６】
本実施形態のエンコーダ３５としては、回転筒の回転駆動に連結された回転円板の回転をフォトインタラプタなどの光センサで検出して、回転数に応じたパルス信号を出力するものや、固定筒と回転筒の何れか一方に設けられたフレキシブルプリント配線板の表面のエンコーダパターンに、何れか他方に設けられたブラシ接点を接触させ、回転筒の移動量（回転方向でも光軸方向の何れでもよい）に応じた接触位置の変化を検出回路で検出するものなどを用いることができる。
【００２７】
フォーカスレンズ３２は、上述した回転筒の回転によってカメラボディ側の端部（至近端ともいう）から被写体側の端部（無限端ともいう）までの間を光軸Ｌ１方向に移動することができる。ちなみに、エンコーダ３５で検出されたフォーカスレンズ３２の現在位置情報は、レンズ制御部３７を介して後述するカメラ制御部２１へ送出され、フォーカスレンズ駆動モータ３６は、この情報に基づいて演算されたフォーカスレンズ３２の駆動位置が、カメラ制御部２１からレンズ制御部３７を介して送出されることにより駆動する。
【００２８】
絞り３４は、上記撮影光学系を通過して撮像素子２２に至る光束の光量を制限するとともにボケ量を調整するために、光軸Ｌ１を中心にした開口径が調節可能に構成されている。絞り３４による開口径の調節は、たとえば自動露出モードにおいて演算された絞り値に応じた開口径が、カメラ制御部２１からレンズ制御部３７を介して送出されることにより行われる。また、カメラ本体２に設けられた操作部２８によるマニュアル操作により、設定された撮影絞り値に応じた開口径がカメラ制御部２１からレンズ制御部３７に入力される。絞り３４の開口径は図示しない絞り開口センサにより検出され、レンズ制御部３７で現在の開口径が認識される。
【００２９】
また、本実施形態において、レンズ制御部３７は、光学系の焦点状態を検出する際における、光学系の絞り値の開放側の制限値を、開放側制限値として、メモリ３９に予め記憶している。ここで、たとえば、光学系の焦点状態を検出する際の絞り値をＦ１．４とし、画像を本撮影する際の撮影絞り値をＦ２．８とした場合に、焦点検出後に本撮影を行うために、光学系の絞り値を、焦点検出を行う際の絞り値であるＦ１．４から撮影絞り値であるＦ２．８に変更した場合に、絞り値の変更に伴う像面の移動により、焦点検出時において検出された合焦位置が、画像の本撮影時における光学系の被写界深度から外れてしまい、焦点検出時にピントの合っていた被写体にピントの合った画像を撮影できない場合がある。特に、光学系の絞り値が開放側の値になるほど、この傾向は大きくなる。そこで、このような場合、たとえば、光学系の焦点状態を検出する際の絞り値を、Ｆ１．４ではなくＦ２までに制限することで、絞り値の変更に伴う像面移動量を抑制し、光学系の絞り値を、焦点状態を検出する際の絞り値から撮影絞り値に変更した場合でも、被写体にピントの合った画像を撮影することができるようになる。開放側制限値は、このように、光学系の絞り値を、焦点検出時の絞り値から撮影絞り値に変更した場合でも、画像を良好に撮影することができる、光学系の絞り値の開放側の制限値であり、レンズ鏡筒３ごとに固有の値として、レンズ制御部３７に予め記憶されている。
【００３０】
また、本実施形態において、レンズ制御部３７は、開放側制限値を、開放絞り値からの絞り段数として記憶している。たとえば、開放側制限値が絞り値（Ｆ値）でＦ２である場合において、開放絞り値がＦ１．２であり、光学系の絞り値を開放絞り値であるＦ１．２から開放側制限値であるＦ２に変更するための絞り３４の絞り段数が２段である場合には、カメラ制御部３７は、開放側制限値を、２段として記憶している。このように、開放側制限値を、開放絞り値からの絞り段数として記憶しておくことで、たとえば、ズームレンズのレンズ位置が変更された場合でも、ズームレンズのレンズ位置に応じた開放絞り値に基づいて、ズームレンズのレンズ位置に応じた開放側制限値を求めることができ、ズームレンズのレンズ位置ごとに、開放絞り値を記憶しておく必要がない。なお、上述した開放絞り値、開放側制限値、および絞り段数は一例であって、これらの値に限定されるものではない。
【００３１】
一方、カメラ本体２には、上記撮影光学系からの光束Ｌ１を受光する撮像素子２２が、撮影光学系の予定焦点面に設けられ、その前面にシャッター２３が設けられている。撮像素子２２はＣＣＤやＣＭＯＳなどのデバイスから構成され、受光した光信号を電気信号に変換してカメラ制御部２１に送出する。カメラ制御部２１に送出された撮影画像情報は、逐次、液晶駆動回路２５に送出されて観察光学系の電子ビューファインダ（ＥＶＦ）２６に表示されるとともに、操作部２８に備えられたレリーズボタン（不図示）が全押しされた場合には、その撮影画像情報が、記録媒体であるメモリ２４に記録される。メモリ２４は着脱可能なカード型メモリや内蔵型メモリの何れをも用いることができる。なお、撮像素子２２の撮像面の前方には、赤外光をカットするための赤外線カットフィルタ、および画像の折り返しノイズを防止するための光学的ローパスフィルタが配置されている。撮像素子２２の構造の詳細は後述する。
【００３２】
カメラ本体２にはカメラ制御部２１が設けられている。カメラ制御部２１は、マウント部４に設けられた電気信号接点部４１によりレンズ制御部３７と電気的に接続され、このレンズ制御部３７からレンズ情報を受信するとともに、レンズ制御部３７へデフォーカス量や絞り開口径などの情報を送信する。また、カメラ制御部２１は、上述したように撮像素子２２から画素出力を読み出すとともに、読み出した画素出力について、必要に応じて所定の情報処理を施すことにより画像情報を生成し、生成した画像情報を、電子ビューファインダ２６の液晶駆動回路２５やメモリ２４に出力する。また、カメラ制御部２１は、撮像素子２２からの画像情報の補正やレンズ鏡筒３の焦点調節状態、絞り調節状態などを検出するなど、カメラ１全体の制御を司る。
【００３３】
また、カメラ制御部２１は、上記に加えて、撮像素子２２から読み出した画素データに基づき、位相検出方式による撮影光学系の焦点状態の検出、およびコントラスト検出方式による光学系の焦点状態の検出を行う。なお、焦点状態の検出方法については、後述する。
【００３４】
加えて、カメラ制御部２１は、焦点検出を行う際における、光学系の絞り値の絞り込み側の制限値を、絞り込み側制限値として、メモリ２９に予め記憶している。この絞り込み側制限値は、焦点検出を行う際に、たとえば、ケラレの発生を有効に防止することができ、良好な焦点検出精度を得ることができる絞り値のうち、最も絞り込み側の値とすることができる。そして、カメラ制御部２１は、レンズ制御部３７から受信した開放側制限値と、メモリ２９に記憶している絞り込み側制限値とに基づいて、焦点検出を行う際の露出を制御する。なお、焦点検出時の露出制御の詳細については、後述する。
【００３５】
操作部２８は、シャッターレリーズボタンおよび撮影者がカメラ１の各種動作モードを設定するための入力スイッチであり、オートフォーカスモード／マニュアルフォーカスモードの切換が行えるようになっている。この操作部２８により設定された各種モードはカメラ制御部２１へ送出され、当該カメラ制御部２１によりカメラ１全体の動作が制御される。また、シャッターレリーズボタンは、ボタンの半押しでＯＮとなる第１スイッチＳＷ１と、ボタンの全押しでＯＮとなる第２スイッチＳＷ２とを含む。
【００３６】
次に、本実施形態に係る撮像素子２２について説明する。
【００３７】
図２は、撮像素子２２の撮像面を示す正面図、図３は、図２のIII部を拡大して焦点検出画素２２２ａ，２２２ｂの配列を模式的に示す正面図である。
【００３８】
本実施形態の撮像素子２２は、図３に示すように、複数の撮像画素２２１が、撮像面の平面上に二次元的に配列され、緑色の波長領域を透過するカラーフィルタを有する緑画素Ｇと、赤色の波長領域を透過するカラーフィルタを有する赤画素Ｒと、青色の波長領域を透過するカラーフィルタを有する青画素Ｂがいわゆるベイヤー配列（Bayer Arrangement）されたものである。すなわち、隣接する４つの画素群２２３（稠密正方格子配列）において一方の対角線上に２つの緑画素が配列され、他方の対角線上に赤画素と青画素が１つずつ配列されている。このベイヤー配列された画素群２２３を単位として、当該画素群２２３を撮像素子２２の撮像面に二次元状に繰り返し配列することで撮像素子２２が構成されている。
【００３９】
なお、単位画素群２２３の配列は、図示する稠密正方格子以外にも、たとえば稠密六方格子配列にすることもできる。また、カラーフィルタの構成や配列はこれに限定されることはなく、補色フィルタ（緑：Ｇ、イエロー：Ｙｅ、マゼンタ：Ｍｇ，シアン：Ｃｙ）の配列を採用することもできる。
【００４０】
図４は、撮像画素２２１の一つを拡大して示す正面図、図６は断面図である。一つの撮像画素２２１は、マイクロレンズ２２１１と、光電変換部２２１２と、図示しないカラーフィルタから構成され、図６の断面図に示すように、撮像素子２２の半導体回路基板２２１３の表面に光電変換部２２１２が造り込まれ、その表面にマイクロレンズ２２１１が形成されている。光電変換部２２１２は、マイクロレンズ２２１１により撮影光学系の射出瞳（たとえばＦ１．０）を通過する撮像光束を受光する形状とされ、撮像光束を受光する。
【００４１】
また、撮像素子２２の撮像面の中心、ならびに中心から左右対称位置の３箇所には、上述した撮像画素２２１に代えて焦点検出画素２２２ａ，２２２ｂが配列された焦点検出画素列２２ａ，２２ｂ，２２ｃが設けられている。そして、図３に示すように、一つの焦点検出画素列は、複数の焦点検出画素２２２ａおよび２２２ｂが、互いに隣接して交互に、横一列（２２ａ，２２ｃ，２２ｃ）に配列されて構成されている。本実施形態においては、焦点検出画素２２２ａおよび２２２ｂは、ベイヤー配列された撮像画素２２１の緑画素Ｇと青画素Ｂとの位置にギャップを設けることなく密に配列されている。
【００４２】
なお、図２に示す焦点検出画素列２２ａ〜２２ｃの位置は図示する位置にのみ限定されず、何れか一箇所、二箇所にすることもでき、また、四箇所以上の位置に配置することもできる。また、実際の焦点検出に際しては、複数配置された焦点検出画素列２２ａ〜２２ｃの中から、撮影者が操作部２８を手動操作することにより所望の焦点検出画素列を、焦点検出位置として選択することもできる。
【００４３】
図５（Ａ）は、焦点検出画素２２２ａの一つを拡大して示す正面図、図７（Ａ）は、焦点検出画素２２２ａの断面図である。また、図５（Ｂ）は、焦点検出画素２２２ｂの一つを拡大して示す正面図、図７（Ｂ）は、焦点検出画素２２２ｂの断面図である。焦点検出画素２２２ａは、図５（Ａ）に示すように、マイクロレンズ２２２１ａと、半円形状の光電変換部２２２２ａとから構成され、図７（Ａ）の断面図に示すように、撮像素子２２の半導体回路基板２２１３の表面に光電変換部２２２２ａが造り込まれ、その表面にマイクロレンズ２２２１ａが形成されている。また、焦点検出画素２２２ｂは、図５（Ｂ）に示すように、マイクロレンズ２２２１ｂと、光電変換部２２２２ｂとから構成され、図７（Ｂ）の断面図に示すように、撮像素子２２の半導体回路基板２２１３の表面に光電変換部２２２２ｂが造り込まれ、その表面にマイクロレンズ２２２１ｂが形成されている。そして、これら焦点検出画素２２２ａおよび２２２ｂは、図３に示すように、互いに隣接して交互に、横一列に配列されることにより、図２に示す焦点検出画素列２２ａ〜２２ｃを構成する。
【００４４】
なお、焦点検出画素２２２ａ，２２２ｂの光電変換部２２２２ａ，２２２２ｂは、マイクロレンズ２２２１ａ，２２２１ｂにより撮影光学系の射出瞳の所定の領域（たとえばＦ２．８）を通過する光束を受光するような形状とされる。また、焦点検出画素２２２ａ，２２２ｂにはカラーフィルタは設けられておらず、その分光特性は、光電変換を行うフォトダイオードの分光特性と、図示しない赤外カットフィルタの分光特性を総合したものとなっている。ただし、撮像画素２２１と同じカラーフィルタのうちの一つ、たとえば緑フィルタを備えるように構成することもできる。
【００４５】
また、図５（Ａ）、図５（Ｂ）に示す焦点検出画素２２２ａ，２２２ｂの光電変換部２２２２ａ，２２２２ｂは半円形状としたが、光電変換部２２２２ａ，２２２２ｂの形状はこれに限定されず、他の形状、たとえば、楕円形状、矩形状、多角形状とすることもできる。
【００４６】
ここで、上述した焦点検出画素２２２ａ，２２２ｂの画素出力に基づいて撮影光学系の焦点状態を検出する、いわゆる位相差検出方式について説明する。
【００４７】
図８は、図３のVIII-VIII線に沿う断面図であり、撮影光軸Ｌ１近傍に配置され、互いに隣接する焦点検出画素２２２ａ−１，２２２ｂ−１，２２２ａ−２，２２２ｂ−２が、射出瞳３４の測距瞳３４１，３４２から照射される光束ＡＢ１−１，ＡＢ２−１，ＡＢ１−２，ＡＢ２−２をそれぞれ受光していることを示している。なお、図８においては、複数の焦点検出画素２２２ａ，２２２ｂのうち、撮影光軸Ｌ１近傍に位置するもののみを例示して示したが、図８に示す焦点検出画素以外のその他の焦点検出画素についても、同様に、一対の測距瞳３４１，３４２から照射される光束をそれぞれ受光するように構成されている。
【００４８】
ここで、射出瞳３４とは、撮影光学系の予定焦点面に配置された焦点検出画素２２２ａ，２２２ｂのマイクロレンズ２２２１ａ，２２２１ｂの前方の距離Ｄの位置に設定された像である。距離Ｄは、マイクロレンズの曲率、屈折率、マイクロレンズと光電変換部との距離などに応じて一義的に決まる値であって、この距離Ｄを測距瞳距離と称する。また、測距瞳３４１，３４２とは、焦点検出画素２２２ａ，２２２ｂのマイクロレンズ２２２１ａ，２２２１ｂにより、それぞれ投影された光電変換部２２２２ａ,２２２２ｂの像をいう。
【００４９】
なお、図８において焦点検出画素２２２ａ−１，２２２ｂ−１，２２２ａ−２，２２２ｂ−２の配列方向は一対の測距瞳３４１，３４２の並び方向と一致している。
【００５０】
また、図８に示すように、焦点検出画素２２２ａ−１，２２２ｂ−１，２２２ａ−２，２２２ｂ−２のマイクロレンズ２２２１ａ−１，２２２１ｂ−１，２２２１ａ−２，２２２１ｂ−２は、撮影光学系の予定焦点面近傍に配置されている。そして、マイクロレンズ２２２１ａ−１，２２２１ｂ−１，２２２１ａ−２，２２２１ｂ−２の背後に配置された各光電変換部２２２２ａ−１，２２２２ｂ−１，２２２２ａ−２，２２２２ｂ−２の形状が、各マイクロレンズ２２２１ａ−１，２２２１ｂ−１，２２２１ａ−２，２２２１ｂ−２から測距距離Ｄだけ離れた射出瞳３４上に投影され、その投影形状は測距瞳３４１，３４２を形成する。
【００５１】
すなわち、測距距離Ｄにある射出瞳３４上で、各焦点検出画素の光電変換部の投影形状（測距瞳３４１，３４２）が一致するように、各焦点検出画素におけるマイクロレンズと光電変換部の相対的位置関係が定められ、それにより各焦点検出画素における光電変換部の投影方向が決定されている。
【００５２】
図８に示すように、焦点検出画素２２２ａ−１の光電変換部２２２２ａ−１は、測距瞳３４１を通過し、マイクロレンズ２２２１ａ−１に向う光束ＡＢ１−１によりマイクロレンズ２２２１ａ−１上に形成される像の強度に対応した信号を出力する。同様に、焦点検出画素２２２ａ−２の光電変換部２２２２ａ−２は測距瞳３４１を通過し、マイクロレンズ２２２１ａ−２に向う光束ＡＢ１−２によりマイクロレンズ２２２１ａ−２上に形成される像の強度に対応した信号を出力する。
【００５３】
また、焦点検出画素２２２ｂ−１の光電変換部２２２２ｂ−１は測距瞳３４２を通過し、マイクロレンズ２２２１ｂ−１に向う光束ＡＢ２−１によりマイクロレンズ２２２１ｂ−１上に形成される像の強度に対応した信号を出力する。同様に、焦点検出画素２２２ｂ−２の光電変換部２２２２ｂ−２は測距瞳３４２を通過し、マイクロレンズ２２２１ｂ−２に向う光束ＡＢ２−２によりマイクロレンズ２２２１ｂ−２上に形成される像の強度に対応した信号を出力する。
【００５４】
そして、上述した２種類の焦点検出画素２２２ａ，２２２ｂを、図３に示すように直線状に複数配置し、各焦点検出画素２２２ａ，２２２ｂの光電変換部２２２２ａ，２２２２ｂの出力を、測距瞳３４１と測距瞳３４２とのそれぞれに対応した出力グループにまとめることにより、測距瞳３４１と測距瞳３４２とのそれぞれを通過する焦点検出光束が焦点検出画素列上に形成する一対の像の強度分布に関するデータが得られる。そして、この強度分布データに対し、相関演算処理または位相差検出処理などの像ズレ検出演算処理を施すことにより、いわゆる位相差検出方式による像ズレ量を検出することができる。
【００５５】
そして、得られた像ズレ量に一対の測距瞳の重心間隔に応じた変換演算を施すことにより、予定焦点面に対する現在の焦点面（予定焦点面上のマイクロレンズアレイの位置に対応した焦点検出位置における焦点面をいう。）の偏差、すなわちデフォーカス量を求めることができる。
【００５６】
なお、これら位相差検出方式による像ズレ量の演算と、これに基づくデフォーカス量の演算は、カメラ制御部２１により実行される。
【００５７】
また、カメラ制御部２１は、撮像素子２２の撮像画素２２１の出力を読み出し、読み出した画素出力に基づき、焦点評価値の演算を行う。この焦点評価値は、たとえば撮像素子２２の撮像画素２２１からの画像出力の高周波成分を、高周波透過フィルタを用いて抽出し、これを積算して焦点電圧を検出することで求めることができる。また、遮断周波数が異なる２つの高周波透過フィルタを用いて高周波成分を抽出し、それぞれを積算して焦点電圧を検出することでも求めることができる。
【００５８】
そして、カメラ制御部２１は、レンズ制御部３７に制御信号を送出してフォーカスレンズ３２を所定のサンプリング間隔(距離)で駆動させ、それぞれの位置における焦点評価値を求め、該焦点評価値が最大となるフォーカスレンズ３２の位置を合焦位置として求める、コントラスト検出方式による焦点検出を実行する。なお、この合焦位置は、たとえば、フォーカスレンズ３２を駆動させながら焦点評価値を算出した場合に、焦点評価値が、２回上昇した後、さらに、２回下降して推移した場合に、これらの焦点評価値を用いて、内挿法などの演算を行うことで求めることができる。
【００５９】
次いで、本実施形態に係るカメラ１の動作例を説明する。図９は、本実施形態に係るカメラ１の動作例を示すフローチャートである。なお、以下の動作は、カメラ１の電源がオンされることにより開始される。
【００６０】
まず、ステップＳ１０１では、カメラ制御部２１により、動画像の撮影が行われているか否かの判断が行われる。本実施形態において、カメラ制御部２１は、たとえば、撮影者により操作部２８に備えられた動画撮影ボタンが押下され、動画像の撮影が開始された場合に、または、動画撮影モードにおいて、撮影者により、動画像の撮影を開始するためのボタン（たとえば、シャッターレリーズボタン）が押下され、動画像の撮影が開始された場合に、動画像の撮影が行われていると判断することができる。動画像の撮影が行われていると判断された場合は、ステップＳ１２１に進み、一方、動画像の撮影が行われていないと判断された場合は、ステップＳ１０２に進む。
【００６１】
ステップＳ１０２では、カメラ制御部２１により、光学系の絞り値（Ｆ値）を、焦点検出を行うための絞り値に設定する処理が行われる。具体的には、カメラ制御部２１は、まず、光学系の焦点状態を検出する際における、光学系の絞り値の開放側の制限値を、開放側制限値として、レンズ制御部３７から受信するとともに、光学系の焦点状態を検出する際における、光学系の絞り値の絞り込み側の制限値を、絞り込み側制限値として、メモリ２９から取得する。なお、本実施形態において、開放側制限値は、開放絞り値からの絞り込み段数として、メモリ３９に記憶されているため、カメラ制御部２１は、開放絞り値と開放絞り値からの絞り込み段数とに基づいて、焦点検出を行う際における光学系の絞り値の開放側の制限値（Ｆ値）を、開放側制限値として求める。
【００６２】
そして、カメラ制御部２１は、取得した開放側制限値と絞り込み側制限値とに基づいて、焦点検出を行うための光学系の絞り値の設定を行う。具体的には、カメラ制御部２１は、画像を本撮影するために設定された撮影絞り値が、絞り込み側制限値よりも絞り込み側の値である場合には、光学系の絞り値を、絞り込み側制限値に設定する。ここで、図１０は、焦点検出を行うために設定される絞り値と、撮影絞り値との関係の一例を示す図である。なお、図１０に示す例では、開放絞り値がＦ１．２であり最大絞り値（最大Ｆ値）がＦ１６であるレンズ鏡筒３において、開放側制限値がＦ２．８として取得され、絞り込み側制限値がＦ５．６として取得された場面を示している。たとえば、図１０の（Ａ）に示す例では、撮影絞り値がＦ１６に設定されており、撮影絞り値であるＦ１６が、絞り込み側制限値であるＦ５．６よりも絞り込み側の値であるため、カメラ制御部２１は、光学系の絞り値を、絞り込み側制限値であるＦ５．６に設定する。また、図１０の（Ｂ）に示す例では、撮影絞り値がＦ８であるため、図１０の（Ａ）と同様に、カメラ制御部２１は、光学系の絞り値を、絞り込み側制限値であるＦ５．６に設定する。
【００６３】
また、カメラ制御部２１は、画像を本撮影するために設定された撮影絞り値が、絞り込み側制限値と同じ値または絞り込み側制限値よりも開放側の値である場合には、光学系の絞り値を、撮影絞り値に設定する。たとえば、図１０の（Ｃ）に示す例では、撮影絞り値が絞込み側制限値と同じＦ５．６であるため、カメラ制御部２１は、光学系の絞り値を、撮影絞り値であるＦ５．６に設定する。また、図１０の（Ｄ）に示す例では、撮影絞り値がＦ４に設定されており、撮影絞り値であるＦ４が、絞り込み側制限値であるＦ５．６よりも開放側の値であるため、カメラ制御部２１は、光学系の絞り値を、撮影絞り値であるＦ４に設定する。同様に、図１０の（Ｅ）〜（Ｇ）に示す例においても、図１０の（Ｄ）と同様に、撮影絞り値が絞り込み側制限値よりも開放側の値であるため、カメラ制御部２１は、光学系の絞り値を、撮影絞り値に設定する。
【００６４】
ステップＳ１０３では、カメラ制御部２１による、スルー画像の生成、および観察光学系の電子ビューファインダ２６による、スルー画像の表示が行われる。具体的には、撮像素子２２により露光動作が行なわれ、カメラ制御部２１により、撮像画素２２１の画素データの読み出しが行なわれる。そして、カメラ制御部２１は、読み出した画素データに基づきスルー画像を生成し、生成されたスルー画像は液晶駆動回路２５に送出され、観察光学系の電子ビューファインダ２６に表示される。そして、これにより、接眼レンズ２７を介して、ユーザは被写体の動画を視認することが可能となる。
【００６５】
ステップＳ１０４では、カメラ制御部２１により、撮影画面を複数の領域に分割し、分割した各領域ごとに測光を行う多分割測光（マルチパターン測光）が行われ、撮影画面全体の輝度値Ｂｖが算出される。そして、カメラ制御部２１により、算出された撮影画面全体の輝度値Ｂｖに基づいて、撮影画面全体で適正露出が得られるように、受光感度Ｓｖおよび露光時間Ｔｖのうち少なくとも一方が変更される。なお、ステップＳ１０４では、ステップＳ１０２で設定した絞り値に応じた絞りＡｖは固定したままで、受光感度Ｓｖおよび露光時間Ｔｖのうち少なくとも一方を変更する。そして、変更された受光感度Ｓｖ、露光時間Ｔｖに基づいて、たとえば、シャッター２３のシャッタースピードや、撮像素子２１の感度などを設定することで、撮像素子２２に対する露出を制御する。
【００６６】
ステップＳ１０５では、カメラ制御部２１により、ステップＳ１０４の露出制御により、撮影画面全体で適正露出が得られたか否かの判断が行われる。受光感度Ｓｖや露光時間Ｔｖの変更のみでは、撮影画面全体が適正露出とならない場合には、ステップＳ１０６に進み、一方、受光感度Ｓｖおよび露光時間Ｔｖのうち少なくとも一方を変更することで、撮影画面全体で適正露出が得られた場合には、ステップＳ１０８に進む。
【００６７】
ステップＳ１０６では、受光感度Ｓｖや露光時間Ｔｖの変更のみでは、撮影画面全体で適正露出が得られないと判断されているため、カメラ制御部２１により、絞りＡｖの変更が行われる。具体的には、カメラ制御部２１は、撮影絞り値が、絞り込み側制限値よりも絞り込み側の値である場合には、光学系の絞り値が、開放側制限値と絞り込み側制限値との範囲内となるように、撮影画面全体の輝度値Ｂｖに基づいて、絞りＡｖを変更する。たとえば、図１０の（Ａ）に示す例では、撮影絞り値であるＦ１６が、絞り込み側制限値であるＦ５．６よりも絞り込み側の値であるため、カメラ制御部２１は、光学系の絞り値が、開放側制限値であるＦ２．６から絞り込み側制限値であるＦ５．６までの範囲内となるように、絞りＡｖを変更し、撮影画面全体で適正露出が得られるように露出制御を行う。図１０の（Ｂ）に示す例も同様である。
【００６８】
また、カメラ制御部２１は、撮影絞り値が、絞り込み側制限値と同じ値または絞り込み側制限値よりも開放側の値である場合には、光学系の絞り値が、開放側制限値と撮影絞り値との範囲内となるように、撮影画面全体の輝度値Ｂｖに基づいて、絞りＡｖを変更する。たとえば、図１０の（Ｃ）に示す例では、撮影絞り値であるＦ５．６が、絞り込み側制限値であるＦ５．６と同じ値であるため、カメラ制御部２１は、光学系の絞り値が、開放側制限値であるＦ２．６から撮影絞り値であるＦ５．６までの範囲内となるように、絞りＡｖを変更する。また、図１０の（Ｄ）に示す例では、撮影絞り値であるＦ４が、絞り込み側制限値であるＦ５．６よりも開放側の値であるため、カメラ制御部２１は、光学系の絞り値が、開放側制限値であるＦ２．６から撮影絞り値であるＦ４までの範囲内となるように、絞りＡｖを変更する。
【００６９】
なお、カメラ制御部２１は、撮影絞り値が、開放側制限値と同じ値または開放側制限値よりも開放側の値である場合には、光学系の絞り値を、撮影絞り値のままとする。たとえば、図１０の（Ｅ）に示す例では、撮影絞り値であるＦ２．６が、開放側制限値であるＦ２．６と同じ値であるため、カメラ制御部２１は、光学系の絞り値を、撮影絞り値であるＦ２．６のままとする。図１０の（Ｆ）〜（Ｇ）に示す例でも同様である。また、本実施形態において、カメラ制御部２１は、たとえば、図１０の（Ａ）〜（Ｄ）に示すように、絞りＡｖを所定の絞り値の範囲内で変更することができる場合には、撮影画面全体の輝度値Ｂｖが再度変化した場合でも、絞りＡｖを再び変更しなくてもよいように、絞りＡｖを、開放側に、若干、余裕をもって変更する。
【００７０】
ステップＳ１０７では、カメラ制御部２１により、ステップＳ１０６で変更された絞りＡｖにおいて、撮影画面全体で適正露出が得られるように、受光感度Ｓｖおよび露光時間Ｔｖが決定される。具体的には、カメラ制御部２１は、ステップＳ１０４と同様に、撮影画面全体でマルチパターン測光を行い、撮影画面全体の輝度値Ｂｖを算出する。そして、カメラ制御部２１は、算出した輝度値Ｂｖと、ステップＳ１０６で変更された絞りＡｖとに基づいて、撮影画面全体で適正露出が得られる受光感度Ｓｖおよび露光時間Ｔｖを決定し、決定した受光感度Ｓｖおよび露光時間Ｔｖと、ステップＳ１０６で変更された絞りＡｖとに基づいて、撮像素子２２に対する露出を制御する。
【００７１】
そして、ステップＳ１０８では、カメラ制御部２１により、位相差検出方式によるデフォーカス量の算出処理が行われる。具体的には、まず、撮像素子２２により、光学系からの光束の受光が行われ、カメラ制御部２１により、撮像素子２２の３つの焦点検出画素列２２ａ〜２２ｃを構成する各焦点検出画素２２２ａ，２２２ｂから一対の像に対応した一対の像データの読み出しが行われる。この場合、撮影者の手動操作により、特定の焦点検出位置が選択されているときは、その焦点検出位置に対応する焦点検出画素からのデータのみを読み出すような構成としてもよい。そして、カメラ制御部２１は、読み出された一対の像データに基づいて像ズレ検出演算処理(相関演算処理)を実行し、３つの焦点検出画素列２２ａ〜２２ｃに対応する焦点検出位置における像ズレ量を演算し、さらに像ズレ量をデフォーカス量に変換する。また、カメラ制御部２１は、算出したデフォーカス量について、その信頼性の評価を行う。たとえば、カメラ制御部２１は、一対の像データの一致度やコントラストなどに基づいて、デフォーカス量の信頼性を判断することができる。
【００７２】
ステップＳ１０９では、カメラ制御部２１により、操作部２８に備えられたシャッターレリーズボタンの半押し（第１スイッチＳＷ１のオン）がされたかどうかの判断が行なわれる。シャッターレリーズボタンが半押しされた場合は、ステップＳ１１０に進む。一方、シャッターレリーズボタンが半押しされていない場合は、ステップＳ１０３に戻り、シャッターレリーズボタンが半押しされるまで、スルー画像の表示と、露出制御と、デフォーカス量の算出とが繰り返し実行される。
【００７３】
ステップＳ１１０では、カメラ制御部２１により、位相差検出形式によりデフォーカス量が算出できたか否かの判定が行なわれる。デフォーカス量が算出できた場合には、測距可能と判断して、ステップＳ１１１に進み、一方、デフォーカス量が算出できなかった場合には、測距不能と判断して、ステップＳ１１５に進む。なお、本実施形態においては、デフォーカス量の算出ができた場合でも、算出されたデフォーカス量の信頼性が低い場合には、デフォーカス量が算出できなかったものとして扱い、ステップＳ１１５に進むこととする。本実施形態においては、たとえば、被写体のコントラストが低い場合、被写体が超低輝度被写体である場合、あるいは被写体が超高輝度被写体である場合などにおいて、デフォーカス量の信頼性が低いと判断される。
【００７４】
ステップＳ１１１では、カメラ制御部２１により、ステップＳ１０８で算出されたデフォーカス量に基づいて、フォーカスレンズ３２を合焦位置まで駆動させるのに必要となるレンズ駆動量の算出が行われ、算出されたレンズ駆動量が、レンズ制御部３７を介して、フォーカスレンズ駆動モータ３６に送出される。これにより、フォーカスレンズ駆動モータ３６により、算出されたレンズ駆動量に基づいて、フォーカスレンズ３２の駆動が行われる。
【００７５】
ステップＳ１１２では、カメラ制御部２１により、シャッターレリーズボタンの全押し（第２スイッチＳＷ２のオン）がされたか否か判断される。第２スイッチＳＷ２がオンの場合には、ステップＳ１１３に進み、一方、第２スイッチＳＷ２がオンではない場合には、ステップＳ１０３に戻る。
【００７６】
ステップＳ１１３では、画像の本撮影を行うために、カメラ制御部２１により、光学系の絞り値を撮影絞り値に設定する処理が行われる。たとえば、図１０の（Ａ）に示す例において、カメラ制御部２１は、画像を本撮影するために、光学系の絞り値を、焦点検出時の絞り値（開放側制限値であるＦ２．８から絞り込み側制限値であるＦ５．６の範囲内）から、撮影絞り値であるＦ１６に変更する。同様に、図１０の（Ｂ）〜（Ｇ）に示す例においても、光学系の絞り値を、焦点検出を行うための絞り値から、画像を本撮影するための撮影絞り値に変更する。そして、続くステップＳ１１４では、ステップＳ１１３で設定された絞り値で、撮像素子２２により画像の本撮影が行われ、撮影された画像の画像データが、メモリ２４に記憶される。
【００７７】
一方、ステップＳ１１０でデフォーカス量が算出できないと判断された場合には、焦点検出に適した露出とするために、ステップＳ１１５に進む。ステップＳ１１５では、カメラ制御部２１により、焦点検出に適した露出が得られるように、焦点検出用の露出制御が行われる。具体的には、カメラ制御部２１は、撮像素子２２の出力に基づいて、焦点検出エリア（図２に示す焦点検出画素列２２ａ，２２ｂ，２２ｃ）をそれぞれ含む所定領域内においてスポット測光を行い、焦点検出エリアを含む所定領域内の輝度値ＳｐｏｔＢｖを算出する。そして、カメラ制御部２１は、算出した輝度値ＳｐｏｔＢｖに基づいて、焦点検出に適した露出(例えば、適正露出よりも１段明るい露出)が得られるように、受光感度Ｓｖ、露光時間Ｔｖ、および絞りＡｖを決定する。なお、ステップＳ１１５の焦点検出用の露出制御においても、ステップＳ１０４〜Ｓ１０７と同様に、カメラ制御部２１は、受光感度Ｓｖおよび露光時間Ｔｖを優先的に変更し、受光感度Ｓｖおよび露光時間Ｔｖの変更のみでは、焦点検出に適した露出を得ることができない場合に限り、ステップＳ１０２で取得した開放側制限値および絞り込み側制限値に基づいて、絞りＡｖを変更する。すなわち、カメラ制御部２１は、図１０の（Ａ）〜（Ｂ）に示す例のように、撮影絞り値が、絞り込み側制限値よりも絞り込み側の値である場合には、光学系の絞り値が、開放側制限値と絞り込み側制限値との範囲内となるように、焦点検出エリアを含む所定領域内の輝度値ＳｐｏｔＢｖに基づいて、絞りＡｖを変更する。また、図１０の（Ｃ）〜（Ｄ）に示すように、撮影絞り値が、絞り込み側制限値と同じ値または絞り込み側制限値よりも開放側の値である場合には、光学系の絞り値が、開放側制限値と撮影絞り値との範囲内となるように、焦点検出エリアを含む所定領域内の輝度値ＳｐｏｔＢｖに基づいて、絞りＡｖを変更し、さらに、図１０の（Ｅ）〜（Ｇ）に示すように、撮影絞り値が、開放側制限値と同じ値または開放側制限値よりも開放側の値である場合には、光学系の絞り値を、撮影絞り値のままとする。
【００７８】
ステップＳ１１６では、カメラ制御部２１により、焦点検出に適した露出で得られた画像データに基づいて、デフォーカス量の算出が行われ、続くステップＳ１１７では、カメラ制御部２１により、焦点検出に適した露出で得られた画像データに基づいて、デフォーカス量を算出できたか否かの判断が行われる。デフォーカス量を算出できた場合は、ステップＳ１１１に進み、算出されたデフォーカス量に基づいて、フォーカスレンズ３２の駆動処理が行わる。一方、焦点検出に適した露出で得られた画像データを用いても、デフォーカス量が算出できなかった場合は、ステップＳ１１８に進み、後述するスキャン動作実行処理が行われる。なお、ステップＳ１１７においても、ステップＳ１１０と同様に、デフォーカス量の算出ができた場合でも、算出されたデフォーカス量の信頼性が低い場合には、デフォーカス量が算出できなかったものとして扱う。
【００７９】
ステップＳ１１８では、カメラ制御部２１により、スキャン動作を実行するためのスキャン動作実行処理が行なわれる。ここで、スキャン動作とは、フォーカスレンズ駆動モータ３６により、フォーカスレンズ３２をスキャン駆動させながら、カメラ制御部２１により、位相差検出方式によるデフォーカス量の算出、および焦点評価値の算出を、所定の間隔で同時に行い、これにより、位相差検出方式による合焦位置の検出と、コントラスト検出方式による合焦位置の検出とを、所定の間隔で、同時に実行する動作である。以下においては、図１１を参照して、本実施形態に係るスキャン動作実行処理を説明する。なお、図１１は、本実施形態に係るスキャン動作実行処理を示すフローチャートである。
【００８０】
まず、ステップＳ２０１では、カメラ制御部２１により、スキャン動作の開始処理が行われる。具体的には、カメラ制御部２１は、レンズ制御部３７にスキャン駆動開始指令を送出し、レンズ制御部３７は、カメラ制御部２１からの指令に基づき、フォーカスレンズ駆動モータ３６を駆動させ、フォーカスレンズ３２を光軸Ｌ１に沿ってスキャン駆動させる。なお、スキャン駆動を行う方向は特に限定されず、フォーカスレンズ３２のスキャン駆動を、無限端から至近端に向かって行なってもよいし、あるいは、至近端から無限端に向かって行なってもよい。
【００８１】
そして、カメラ制御部２１は、フォーカスレンズ３２を駆動させながら、所定間隔で、撮像素子２２の焦点検出画素２２２ａ，２２２ｂから一対の像に対応した一対の像データの読み出しを行い、これに基づき、位相差検出方式により、デフォーカス量の算出および算出されたデフォーカス量の信頼性の評価を行うとともに、フォーカスレンズ３２を駆動させながら、所定間隔で、撮像素子２２の撮像画素２２１から画素出力の読み出しを行い、これに基づき、焦点評価値を算出し、これにより、異なるフォーカスレンズ位置における焦点評価値を取得することで、コントラスト検出方式により合焦位置の検出を行う。
【００８２】
ステップＳ２０２では、カメラ制御部２１により、スキャン動作を行なった結果、位相差検出方式により、デフォーカス量が算出できたか否かの判定が行なわれる。デフォーカス量が算出できた場合には、測距可能と判断して、ステップＳ２０５に進み、一方、デフォーカス量が算出できなかった場合には、測距不能と判断して、ステップＳ２０３に進む。  
【００８３】
ステップＳ２０３では、カメラ制御部２１により、スキャン動作を行なった結果、コントラスト検出方式により、合焦位置の検出ができたか否かの判定が行なわれる。コントラスト検出方式により、合焦位置の検出ができた場合には、ステップＳ２０７に進み、一方、合焦位置の検出ができなかった場合には、ステップＳ２０４に進む。
【００８４】
ステップＳ２０４では、カメラ制御部２１により、スキャン動作を、フォーカスレンズ３２の駆動可能範囲の全域について行なったか否かの判定が行なわれる。フォーカスレンズ３２の駆動可能範囲の全域について、スキャン動作を行なっていない場合には、ステップＳ２０２に戻り、ステップＳ２０２〜Ｓ２０４を繰り返すことにより、スキャン動作、すなわち、フォーカスレンズ３２をスキャン駆動させながら、位相差検出方式によるデフォーカス量の算出、およびコントラスト検出方式による合焦位置の検出を、所定の間隔で同時に実行する動作を継続して行なう。一方、フォーカスレンズ３２の駆動可能範囲の全域について、スキャン動作の実行を完了している場合には、ステップＳ２０８に進む。
【００８５】
そして、スキャン動作を実行した結果、ステップＳ２０２において、位相差検出方式により、デフォーカス量が算出できたと判定された場合には、ステップＳ２０５に進み、ステップＳ２０５において、位相差検出方式により算出されたデフォーカス量に基づく、合焦動作が行なわれる。
【００８６】
すなわち、ステップＳ２０５では、カメラ制御部２１により、まず、スキャン動作の停止処理が行なわれた後、算出されたデフォーカス量から、フォーカスレンズ３２を合焦位置まで駆動させるのに必要となるレンズ駆動量の算出が行なわれ、算出されたレンズ駆動量が、レンズ制御部３７を介して、レンズ駆動モータ３６に送出される。そして、レンズ駆動モータ３６は、カメラ制御部２１により算出されたレンズ駆動量に基づいて、フォーカスレンズ３２を合焦位置まで駆動させる。フォーカスレンズ３２の合焦位置への駆動が完了すると、ステップＳ２０６に進み、ステップＳ２０６において、カメラ制御部２１により、合焦と判定される。
【００８７】
また、スキャン動作を実行した結果、ステップＳ２０３において、コントラスト検出方式により、合焦位置が検出できたと判定された場合には、ステップＳ２０７に進み、コントラスト検出方式により検出された合焦位置に基づく、フォーカスレンズ３２の駆動動作が行なわれる。
【００８８】
すなわち、カメラ制御部２１により、スキャン動作の停止処理が行なわれた後、コントラスト検出方式により検出された合焦位置に基づいて、フォーカスレンズ３２を、合焦位置まで駆動させるレンズ駆動処理が行なわれる。そして、フォーカスレンズ３２の合焦位置への駆動が完了すると、ステップＳ２０６に進み、カメラ制御部２１により、合焦と判定される。
【００８９】
一方、ステップＳ２０４において、フォーカスレンズ３２の駆動可能範囲の全域について、スキャン動作の実行が完了していると判定された場合には、ステップＳ２０８に進む。ステップＳ２０８では、スキャン動作を行なった結果、位相差検出方式およびコントラスト検出方式のいずれの方式によっても、焦点検出を行うことができなかったため、スキャン動作の終了処理が行なわれ、次いで、ステップＳ２０９に進み、カメラ制御部２１により、合焦不能と判定される。
【００９０】
そして、ステップＳ１１８のスキャン動作実行処理が終了した後は、ステップＳ１１９に進み、カメラ制御部２１により、スキャン動作実行処理での合焦判定の結果に基づいて、合焦したか否かの判定が行われる。スキャン動作実行処理において、合焦と判定された場合は（ステップＳ２０６）、ステップＳ１１２に進む。一方、合焦不能と判定された場合は（ステップＳ２０９）、ステップＳ１２０に進み、ステップＳ１２０で、合焦不能表示が行なわれる。合焦不能表示は、たとえば、電子ビューファインダ２６により行われる。
【００９１】
なお、ステップＳ１０１において、動画像の撮影が行われていると判断された場合は、ステップＳ１２１に進む。ステップＳ１２１では、カメラ制御部２１により、動画像の撮影に適した露出が得られるように露出制御が行われる。具体的には、カメラ制御部２１は、動画像の見栄えを優先するため、マルチパターン測光を行って撮影画面全体の輝度値Ｂｖを算出し、算出した輝度値Ｂｖに基づいて、撮影画面全体で適正露出が得られるように、受光感度Ｓｖおよび露光時間Ｔｖを決定する。特に、動画像の撮影中は、絞りＡｖは固定したまま、受光感度Ｓｖおよび露光時間Ｔｖのみを変更して、露出制御が行われる。
【００９２】
そして、ステップＳ１２２では、カメラ制御部２１により、光学系の焦点状態の検出が行われ、検出した焦点状態に応じて、フォーカスレンズ３２の焦点調節が行われる。具体的には、カメラ制御部２１は、撮像した画像データに基づいて、ステップＳ１１１，Ｓ１１５〜Ｓ１２０と同様に、デフォーカス量の算出を行い、デフォーカス量が算出できたか否かを判断する。そして、デフォーカス量が算出された場合には、算出されたデフォーカス量に基づいて、フォーカスレンズ３２を駆動させ、一方、デフォーカス量が算出されなかった場合には、スキャン動作実行処理を行う。そして、ステップＳ１２３に進み、撮像素子２２により動画像の本撮影が行われ、カメラ制御部２１により撮像された動画像の画像データが、メモリ２４に記憶される。
【００９３】
以上のように、本実施形態では、焦点検出を行う際における、光学系の絞り値の開放側の制限値が、開放側制限値として、レンズ鏡筒３に記憶されており、また、焦点検出を行う際における光学系の絞り値の絞り込み側の制限値が、絞り込み側制限値として、カメラボディ２に記憶されている。そして、カメラ制御部２１により、レンズ鏡筒３から受信した開放側制限値と、メモリ２９から取得した絞り込み側制限値とに基づいて、焦点検出を行う際における光学系の絞り値が設定される。具体的には、画像を本撮影する際の撮影絞り値が、絞り込み側制限値よりも絞り込み側の値である場合には、焦点検出を行う際における光学系の絞り値を、開放側制限値と絞り込み側制限値との範囲内において設定する。このように、本実施形態では、焦点検出を行う際における光学系の絞り値を、開放側制限値よりも絞り込み側の値に制限することで、画像を本撮影するために、光学系の絞り値を、焦点検出時の絞り値から画像を本撮影するための撮影絞り値に変更した場合でも、光学系の絞り値の変更に伴う光学系の像面の移動量を所定値以下とすることができ、その結果、焦点検出において検出された合焦位置を、画像の本撮影時における光学系の被写界深度の範囲内とすることができ、被写体にピントが合った画像を撮影することができる。
【００９４】
また、本実施形態では、画像を本撮影する際の撮影絞り値が、絞り込み側制限値よりも絞り込み側の値である場合には、焦点検出を行う際における光学系の絞り値を、絞り込み側制限値よりも開放側の値に制限することで、焦点検出時にケラレが発生することを有効に防止することができ、光学系の焦点状態を適切に検出することができる。さらに、本実施形態では、撮影絞り値が、絞り込み側制限値よりも開放側の値である場合には、焦点検出を行う際における光学系の絞り値を、開放側制限値と撮影絞り値との範囲内において設定することで、焦点検出を行う際における光学系の絞り値を、撮影絞り値よりも絞り込み側の値とならないように制限し、これにより、画像を本撮影する際に、画像を本撮影する際の被写界深度が、焦点検出を行う際の被写界深度よりも浅くなってしまい、画像を本撮影する際に、焦点検出時にピントを合わせた被写体が、光学系の被写界深度から外れてしまうことを有効に防止することができ、その結果、被写体にピントの合った画像を良好に撮影することができる。
【００９５】
≪第２実施形態≫
次に、本発明の第２実施形態を図面に基づいて説明する。第２実施形態に係るカメラ１ａは、図１２に示すように、レンズ鏡筒３ａが、レンズアダプタ５を介して、カメラボディ２に装着されている以外は、第１実施形態に係るカメラ１と同様の構成を有しており、以下に説明する点以外は、第１実施形態に係るカメラ１と同様の動作を行う。
【００９６】
すなわち、第２実施形態に係るカメラ１ａは、レンズアダプタ５を介して、レンズ鏡筒３ａをカメラボディ２に装着可能となっている。ここで、レンズ鏡筒３ａは、開放側制限値を、メモリ３９に記憶していないこと以外は、第１実施形態のレンズ鏡筒３と同様の構成を有する。そして、第２実施形態では、たとえば、レンズ鏡筒３ａが、レンズアダプタ５を介して、カメラボディ２に装着されることで、アダプタ制御部５１から、カメラ制御部２１およびレンズ制御部３７に対して、レンズアダプタ５が装着されたことを示す信号が送出され、これにより、マウント部４に設けられた電気信号接点部４１と、マウント部６に設けられた電気信号接点部６１とを介して、光学系の絞り値などの情報を、レンズ制御部３７とカメラ制御部２１との間で送受信することができる。
【００９７】
次に、第２実施形態に係るカメラ１ａの動作例を、図１３を参照して説明する。図１３は、第２実施形態において焦点検出時に設定される絞り値と、撮影絞り値との関係の一例を示す図である。また、図１３に示す例は、開放絞り値がＦ１．２であり、最大絞り値（最大Ｆ値）がＦ１６である場面において、カメラ制御部２１により、開放側制限値を用いることなく、絞り込み側制限値のみに基づいて、焦点検出の露出制御を行う場面を示している。
【００９８】
第２実施形態において、カメラ制御部２１は、画像を本撮影するための撮影絞り値が、絞り込み側制限値よりも絞り込み側の値である場合には、光学系の絞り値を、絞り込み側制限値に設定して焦点検出を行い、そして、光学系の絞り値を、撮影絞り値に設定して本撮影を行う。たとえば、図１３の（Ａ）に示す例では、撮影絞り値がＦ１６であり、撮影絞り値が、絞り込み側制限値であるＦ５．６よりも絞り込み側の値であるため、光学系の絞り値を、絞り込み側制限値であるＦ５．６に設定して焦点検出を行い、そして、画像の本撮影を行う際には、光学系の絞り値を、絞り込み側制限値であるＦ５．６から、撮影絞り値であるＦ１６に変更して、画像の本撮影を行う。同様に、図１３の（Ｂ）に示す例でも、撮影絞り値であるＦ８が、絞り込み側制限値であるＦ５．６よりも絞り込み側の値であるため、絞り込み側制限値であるＦ５．６で焦点検出を行い、撮影絞り値であるＦ８で画像の本撮影を行う。
【００９９】
また、カメラ制御部２１は、撮影絞り値が、絞り込み側制限値と同じ値、または、絞り込み側制限値よりも開放側の値である場合には、光学系の絞り値を、撮影絞り値に設定して焦点検出を行い、そして、光学系の絞り値を、撮影絞り値に設定したまま、画像の本撮影を行う。たとえば、図１３の（Ｃ）に示す例では、撮影絞り値が絞込み側制限値と同じＦ５．６であるため、カメラ制御部２１は、光学系の絞り値を、撮影絞り値であるＦ５．６に設定して焦点検出を行い、そして、撮影絞り値のＦ５．６のまま、画像の本撮影を行う。また、図１３の（Ｄ）に示す例では、撮影絞り値がＦ４であり、撮影絞り値が、絞り込み側制限値であるＦ５．６よりも開放側の値であるため、カメラ制御部２１は、光学系の絞り値を、撮影絞り値であるＦ４に設定して焦点検出を行い、そして、設定した撮影絞り値のまま、画像の本撮影を行う。図１３の（Ｅ），（Ｆ）に示す場面例でも同様である。
【０１００】
以上のように、第２実施形態では、レンズ制御部３７から開放側制限値を取得しない場合において、撮影絞り値が、絞り込み側制限値と同じ値または絞り込み側制限値よりも開放側の値である場合には、図１３の（Ｃ）〜（Ｆ）に示すように、光学系の絞り値を、撮影絞り値に設定して焦点検出を行い、そして、撮影絞り値に設定したまま、画像の本撮影を行う。これにより、本実施形態では、焦点検出時から画像の本撮影時にかけて、光学系の絞り値が変更されないため、焦点検出を行う際と画像を本撮影する際とで、光学系の像面位置が変更されず、焦点検出において検出された合焦位置が、画像の本撮影時における光学系の被写界深度の範囲内となり、被写体にピントが合った画像を撮影することができる。
【０１０１】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１０２】
例えば、上述した実施形態では、操作部２８に備えられたシャッターレリーズボタンが半押しされることで、フォーカスレンズ３２の焦点調節が起動されるが、この構成に限定されず、たとえば、カメラ１にパソコンを接続し、該パソコンからの信号をカメラ１で受信することで、フォーカスレンズ３２の焦点調節を起動する構成としてもよいし、あるいは、カメラ１に対応するリモコンからの信号を、カメラ１で受信することで、フォーカスレンズ３２の焦点調節を起動する構成としてもよい。この場合、ステップＳ１１０では、パソコンやリモコンから、フォーカスレンズ３２の焦点調節を起動するための信号を受信したか否かを判断する構成としてもよい。
【０１０３】
なお、上述した実施形態のカメラ１は特に限定されず、例えば、デジタルビデオカメラ、一眼レフデジタルカメラ、レンズ一体型のデジタルカメラ、携帯電話用のカメラなどのその他の光学機器に本発明を適用してもよい。
【符号の説明】
【０１０４】
１…デジタルカメラ
２…カメラ本体
２１…カメラ制御部
２２…撮像素子
２２１…撮像画素
２２２ａ，２２２ｂ…焦点検出画素
２８…操作部
３…レンズ鏡筒
３２…フォーカスレンズ
３６…フォーカスレンズ駆動モータ
３７…レンズ制御部
【図１】
0005423734.tif 000002
【図２】
0005423734.tif 000003
【図３】
0005423734.tif 000004
【図４】
0005423734.tif 000005
【図５】
0005423734.tif 000006
【図６】
0005423734.tif 000007
【図７】
0005423734.tif 000008
【図８】
0005423734.tif 000009
【図９】
0005423734.tif 000010
【図１０】
0005423734.tif 000011
【図１１】
0005423734.tif 000012
【図１２】
0005423734.tif 000013
【図１３】
0005423734.tif 000014